(57)【特許請求の範囲】
【請求項１】
テーブルトップ（１）と、該テーブルトップ（１）の内部に組み込まれる細長形状の形材（７）とを備えているテーブルトップ組立体であって、
前記形材（７）がその長手方向に沿って延びる貫通孔（１０）を有し、
テーブルトップ組立体が、前記貫通孔（１０）に挿入されることによって配向方向を定めて配置されたシャフト（１５）と、該シャフト（１５）の一端部に回転可能に取り付けられる取付手段（２，１８）と、前記シャフト（１５）を前記テーブルトップ（１）に対して係止させる手段とをさらに備え、
前記形材（７）が、前記貫通孔（１０）に沿った複数の長手方向溝（１１，１２）を前記貫通孔（１０）内にさらに有し、
前記シャフト（１５）を前記テーブルトップ（１）に対して係止させる手段が、前記取付手段に形成されると共に前記長手方向溝（１１，１２）に係合するように構成される係止ラグ（１９，２０）であって、前記形材（７）及び前記テーブルトップ（１）を前記シャフト（１５）回りの回転に対して係止させる係止ラグ（１９，２０）を有している、テーブルトップ組立体。
【請求項２】
前記形材（７）が、フラットベース部（８）と、湾曲した上側面（９）とを有し、
前記テーブルトップ（１）が、前記形材の周囲に積層された複数の層を用いて形成されている、請求項１に記載のテーブルトップ組立体。
【請求項３】
前記形材（７）が繊維強化複合材料又は金属から作製されている、請求項１に記載のテーブルトップ組立体。
【請求項４】
前記形材（７）がアルミニウムから作製されている、請求項１に記載のテーブルトップ組立体。
【発明の詳細な説明】
【技術分野】
【０００１】
本発明は、テーブルトップ用の取付装置と、該取付装置の一体的な要素である形材と、取付装置を用いるテーブルトップとに関する。取付装置は、フリーハンギングのテーブルトップを含むあらゆるタイプのテーブル、特に、コンピュータテーブルに用いることができる。
【背景技術】
【０００２】
机からコンピュータの画面を立たせるコンピュータ画面用テーブルが従来から知られており、この画面は小型のプレートに載置される。プレートは回転アームに取り付けられ、さらに回転アームは、机の縁部分を挟み留めるクランプ留め具上に直立するように構成されている。
【０００３】
従来の既知の解決策では、テーブルトップが小型のブラケットによって回転ジョイント又はアームに取付けられており、小型のブラケットは、さらにボルト、リベット、又はそれと同等の物によって机に取付けられている。このような取付に関する点が、機械的には弱点であり、スペースを必要として、その結果、プレートのスリムな取り付けができず、かつ美観の面からの満足が得られなくなっている。
【発明の概要】
【発明が解決しようとする課題】
【０００４】
従って、より頑丈で使用時により安定性を有すると共に、既存の解決策よりも優れた視覚的表現を提供するように改善された取付装置が必要とされている。
【０００５】
本発明の目的は、このような取付装置と、テーブルトップに埋め込まれる形材と、このような取付装置を用いるテーブルトップとを提供することである。本発明の範囲は特許請求の範囲から明らかである。
【課題を解決するための手段】
【０００６】
第１の態様によれば、本発明は、テーブルトップ用の取付装置であって、テーブルトップが、該テーブルトップに取付けられるように構成された形材を有し、該形材が、貫通孔と、該貫通孔を通して方向付けられるように構成されたシャフトと、該シャフトの一端部で終端部を成すスリーブと、シャフトの他端部で終端部を成す取付手段とを備えている、取付装置を含むものである。
【０００７】
第２の態様によれば、本発明は、テーブルトップに取付けられる形材であって、湾曲又は二重湾曲した上側面を有するフラットベース部と、複数の長手方向溝を有する円形孔が設けられている貫通溝路とを含む形材を備えている。
【０００８】
第３の態様によれば、本発明は、上記第１の態様による取付装置の場合と同様のテーブルトップを含んでいる。
【０００９】
ここで本発明を添付の図面の参照によってより詳細に説明する。
【図面の簡単な説明】
【００１０】
【図１】コンピュータテーブルの図である。
【図２】本発明によるテーブルトップを概略的に示しており、図２（ａ）は上面図であり、図２（ｂ）は概略正面図であり、図２（ｃ）は断面図であり、かつ図２（ｄ）は断面図の図２（ｃ）の詳細図である。
【図３】取付装置の一体的な要素である単一の構成要素を示し、図３（ａ）は分解斜視図であり、図３（ｂ）は長手方向縦断面図であり、図３（ｃ）は上面図であり、かつ図３（ｄ）は横断面図である。
【発明を実施するための形態】
【００１１】
本明細書に記載されるタイプのコンピュータテーブルは、コンピュータ、より具体的には、多くの場合ラップトップと呼ばれるポータブルコンピュータを保持するプレートを備えている。コンピュータテーブルは、テーブルトップ自体を保持し、かつ家具に取付けられるアームを備えている。このアームをユーザの作業領域内外に回転させることによって、簡単かつ適正な作業位置への配置が確実に可能になり、不使用時には脇に寄せることが確実に可能になる。
【００１２】
図１は本発明に係るコンピュータテーブルを示し、このコンピュータテーブルはテーブルトップ１を備えている。テーブルトップは回転可能なジョイント２に取付けられており、この回転可能なジョイント２は、さらに上側アーム３に取付けられている。上側アームは回転伸縮式アーム又は支柱４に取付けられており、この回転伸縮式アーム又は支柱４は、さらに下側アーム５及びクランプ留め具６に取付けられている。クランプ留め具は、リクライナのような椅子のアームレスト又は別の適した構成要素に挟み留めることができるように構成されている。
【００１３】
テーブルトップ１は、該テーブルトップに設けられた通し形材（through profile）７（図２を参照）を含んでいる。この形材は、好ましくは、アルミニウムのような金属から作製され、又は代替的に繊維強化プラスチック複合材のような合成材料から作製されている。形材は、鋳込むことによってテーブルトップに組み込むか、又は形材の周りに積層する複数の層からなるプレートによってテーブルトップに組み込むことができる。従って、形材は、合成材料、積層された合成材料、及び積層材から作製されるテーブルトップのいずれにも適している。
【００１４】
断面については、形材は湾曲又は二重湾曲した上側面９を有するフラットベース部８を有している。さらに、形材は、貫通溝路を有している。貫通溝路は、その両側部に長手方向溝１１，１２を有する円形孔１０の形態になっている。必要に応じて、それよりも少ないか又は多くの長手方向溝を設けることができる。この貫通溝路の両側には２つの側溝路１３，１４が設けられており、これらによって余分な素材を省くことができる。
【００１５】
図３は、テーブルを回転ジョイント２に取付けられる構成要素（arrangement）を示す。この構成要素は、孔１０に螺合するように構成されたシャフト１５を含んでいる。シャフトの一端部には、スリーブ１８にねじ込むように構成されたねじ要素１７が設けられている。スリーブ１８は、形材７の溝１１，１２に係合するように構成された２つの係合ラグ１９，２０を有している。よって、テーブルはスリーブ１８に係合され、シャフトが、回転モーメントも受けることなく、スリーブ１８をジョイント２内で回転させることになる。シャフト１５の他端部は、適した取付手段により係合される。図示の実施形態では、これはボルトを受け入れ可能なねじ孔１６になっている。当然のことながら、シャフトはあらゆる方法によって取付けることができる。
【００１６】
このような構成要素は、例えば、椅子に対向する側にコンピュータテーブルを取り付けることが望まれる場合に、テーブルトップの着脱を簡略化することにより有利である。テーブルトップは、１つのねじだけでしっかりと保持されるため、対向する側からテーブルトップを容易に離脱させ、かつシャフトに螺合させることが可能になっている。
【図１】
0005730887.tif 000002
【図２】
0005730887.tif 000003
【図３ａ】
0005730887.tif 000004
【図３ｂ】
0005730887.tif 000005
【図３ｃ】
0005730887.tif 000006
【図３ｄ】
0005730887.tif 000007